(57)【要約】【課題】プロセス一覧を表示する際、OSに依存した項目しか表示できないという課題を解決する。【解決手段】プログラム1から、プログラム作成者によって設定されている付加表示情報を含んだプロセス生成要求が出力されると、プロセス生成部2は、プログラム1に対応したプロセスを生成すると共に、プロセスIDと上記付加表示情報とを紐付けて記憶部4に記録する。プロセス一覧表示部5は、プロセス一覧表示コマンドに応答して、起動中のプロセスそれぞれについて、プロセスIDと、OS3によって予め定められている項目の内容とを含んだプロセス付随情報を生成する。更に、生成したプロセス付随情報毎に、それに含まれているプロセスIDと関連する付加表示情報を記憶部４から検索し、プロセス付随情報と検索した付加表示情報とを含んだ表示用データを作成する。【選択図】図１
2012089041.tif 000002
【特許請求の範囲】
【請求項１】
付加表示情報記憶部と、
プログラムからのプロセス生成要求であって、プログラム作成者によって前記プログラムに設定された付加表示情報を含んだプロセス生成要求に応答して、前記プログラムに対応するプロセスを生成すると共に、該生成したプロセスの識別情報と前記付加表示情報とを関連付けて前記付加表示情報記憶部に記録するプロセス生成部と、
プロセス一覧表示要求に応答して、起動中のプロセス毎に、そのプロセスの識別情報と、そのプロセスに関連する、オペレーティングシステムによって予め定められている項目の内容とを含んだプロセス付随情報を生成すると共に、該生成したプロセス付随情報それぞれについて、そのプロセス付随情報と、前記付加表示情報記憶部に記録されている付加表示情報の内の、前記プロセス付随情報に含まれている識別情報と関連付けて記録されている付加表示情報とを含んだ表示用データを生成するプロセス一覧表示部とを備えたことを特徴とするプロセス一覧表示装置。
【請求項２】
請求項１記載のプロセス一覧表示装置において、
前記プロセス生成部は、
前記オペレーティングシステムのプロセス生成手段と、
前記プロセス生成要求に応答して、前記プロセス生成手段に対して前記プログラムに対応するプロセスの生成を要求し、該要求に応答して前記プロセス生成手段から送られてきたプロセスの識別情報と前記プロセス生成要求に含まれている付加表示情報とを関連付けて前記付加表示情報記憶部に記録するプロセス生成要求手段とを備え、且つ、
前記プロセス生成手段は、前記プロセス生成要求手段からの要求に応答して前記プログラムに対応するプロセスを生成し、該生成したプロセスの識別情報を前記プロセス生成要求手段に出力することを特徴とするプロセス一覧表示装置。
【請求項３】
請求項１または２記載のプロセス一覧表示装置において、
前記プロセス一覧表示部は、
前記オペレーティングシステムのプロセス一覧表示手段と、
前記プロセス一覧表示要求に応答して、前記プロセス一覧表示手段に対して起動中のプロセスについてのプロセス付随情報を要求し、該要求に応答して前記プロセス一覧表示手段から送られてきたプロセス付随それぞれについて表示用データを生成するプロセス一覧表示要求手段とを備え、且つ、
前記プロセス一覧表示手段は、前記プロセス一覧表示要求手段からの要求に応答して、起動中のプロセスについてのプロセス付随情報を生成して前記プロセス一覧表示要求手段に対して出力することを特徴とするプロセス一覧表示装置。
【請求項４】
請求項１，２または３記載のプロセス一覧表示装置において、
前記プログラムには、前記プロセス生成要求に含ませる付加表示情報が、引数として設定されていることを特徴とするプロセス一覧表示装置。
【請求項５】
請求項１乃至４の何れか１項に記載のプロセス一覧表示装置において、
消滅したプロセスに関する情報を前記付加表示情報記憶部から削除する削除部を備えたことを特徴とするプロセス一覧表示装置。
【請求項６】
付加表示情報記憶部と、プロセス生成部と、プロセス一覧表示部とを備えたコンピュータが実行するプロセス一覧表示方法であって、
前記プロセス生成部が、プログラムからのプロセス生成要求であって、プログラム作成者によって前記プログラムに設定された付加表示情報を含んだプロセス生成要求に応答して、前記プログラムに対応するプロセスを生成すると共に、該生成したプロセスの識別情報と前記付加表示情報とを関連付けて前記付加表示情報記憶部に記録し、
前記プロセス一覧表示部が、プロセス一覧表示要求に応答して、起動中のプロセス毎に、そのプロセスの識別情報と、そのプロセスに関連する、オペレーティングシステムによって予め定められている項目の内容とを含んだプロセス付随情報を生成すると共に、該生成したプロセス付随情報それぞれについて、そのプロセス付随情報と、前記付加表示情報記憶部に記録されている付加表示情報の内の、前記プロセス付随情報に含まれている識別情報と関連付けて記録されている付加表示情報とを含んだ表示用データを生成することを特徴とするプロセス一覧表示方法。
【請求項７】
付加表示情報記憶部を備えたコンピュータをプロセス一覧表示装置として機能させるためのプログラムであって、
前記コンピュータを、
プログラムからのプロセス生成要求であって、プログラム作成者によって前記プログラムに設定された付加表示情報を含んだプロセス生成要求に応答して、前記プログラムに対応するプロセスを生成すると共に、該生成したプロセスの識別情報と前記付加表示情報とを関連付けて前記付加表示情報記憶部に記録するプロセス生成部、
プロセス一覧表示要求に応答して、起動中のプロセス毎に、そのプロセスの識別情報と、そのプロセスに関連する、オペレーティングシステムによって予め定められている項目の内容とを含んだプロセス付随情報を生成すると共に、該生成したプロセス付随情報それぞれについて、そのプロセス付随情報と、前記付加表示情報記憶部に記録されている付加表示情報の内の、前記プロセス付随情報に含まれている識別情報と関連付けて記録されている付加表示情報とを含んだ表示用データを生成するプロセス一覧表示部として機能させるためのプログラム。
【発明の詳細な説明】
【技術分野】
【０００１】
本発明は、コンピュータ上で起動されているプロセスの一覧を表示するプロセス一覧表示装置に関する。
【背景技術】
【０００２】
Linux，WindowsといったマルチタスクＯＳ（マルチタスクオペレーティングシステム）では、ユーザからの要求に応じて起動中のプロセスの一覧（プロセス一覧）を表示するということが行われている（例えば、特許文献１参照）。プロセス一覧における表示項目は、使用するＯＳに依存している。例えば、Windowsでは、プロセスを識別するためのプロセスＩＤ、起動ユーザを識別するためのユーザＩＤ、プロセスの状態、ＣＰＵ時間、メモリ使用量、実行形式ファイル名を示すイメージ名などとなる。
【先行技術文献】
【特許文献】
【０００３】
【特許文献１】特開２００４−２５９０３６号公報
【発明の概要】
【発明が解決しようとする課題】
【０００４】
プロセス一覧を表示することにより、ユーザは、例えば、目的とするプロセスのＣＰＵ時間やメモリ使用量を認識したり、負荷の大きいプロセスを認識したりすることが可能になる。
【０００５】
しかし、特許文献１に記載されている技術では、プロセス一覧を表示する際、ＯＳに依存する項目しか表示できないという課題がある。
【０００６】
そこで、本発明の目的は、プロセス一覧を表示する際、ＯＳに依存した項目しか表示できないという課題を解決したプロセス一覧表示装置を提供することにある。
【課題を解決するための手段】
【０００７】
本発明にかかる第１のプロセス一覧表示装置は、
付加表示情報記憶部と、
プログラムからのプロセス生成要求であって、プログラム作成者によって前記プログラムに設定された付加表示情報を含んだプロセス生成要求に応答して、前記プログラムに対応するプロセスを生成すると共に、該生成したプロセスの識別情報と前記付加表示情報とを関連付けて前記付加表示情報記憶部に記録するプロセス生成部と、
プロセス一覧表示要求に応答して、起動中のプロセス毎に、そのプロセスの識別情報と、そのプロセスに関連する、オペレーティングシステムによって予め定められている項目の内容とを含んだプロセス付随情報を生成すると共に、該生成したプロセス付随情報それぞれについて、そのプロセス付随情報と、前記付加表示情報記憶部に記録されている付加表示情報の内の、前記プロセス付随情報に含まれている識別情報と関連付けて記録されている付加表示情報とを含んだ表示用データを生成するプロセス一覧表示部とを備える。
【０００８】
本発明にかかるプロセス一覧表示方法は、
付加表示情報記憶部と、プロセス生成部と、プロセス一覧表示部とを備えたコンピュータが実行するプロセス一覧表示方法であって、
前記プロセス生成部が、プログラムからのプロセス生成要求であって、プログラム作成者によって前記プログラムに設定された付加表示情報を含んだプロセス生成要求に応答して、前記プログラムに対応するプロセスを生成すると共に、該生成したプロセスの識別情報と前記付加表示情報とを関連付けて前記付加表示情報記憶部に記録し、
前記プロセス一覧表示部が、プロセス一覧表示要求に応答して、起動中のプロセス毎に、そのプロセスの識別情報と、そのプロセスに関連する、オペレーティングシステムによって予め定められている項目の内容とを含んだプロセス付随情報を生成すると共に、該生成したプロセス付随情報それぞれについて、そのプロセス付随情報と、前記付加表示情報記憶部に記録されている付加表示情報の内の、前記プロセス付随情報に含まれている識別情報と関連付けて記録されている付加表示情報とを含んだ表示用データを生成する。
【０００９】
本発明にかかるプログラムは、
付加表示情報記憶部を備えたコンピュータをプロセス一覧表示装置として機能させるためのプログラムであって、
前記コンピュータを、
プログラムからのプロセス生成要求であって、プログラム作成者によって前記プログラムに設定された付加表示情報を含んだプロセス生成要求に応答して、前記プログラムに対応するプロセスを生成すると共に、該生成したプロセスの識別情報と前記付加表示情報とを関連付けて前記付加表示情報記憶部に記録するプロセス生成部、
プロセス一覧表示要求に応答して、起動中のプロセス毎に、そのプロセスの識別情報と、そのプロセスに関連する、オペレーティングシステムによって予め定められている項目の内容とを含んだプロセス付随情報を生成すると共に、該生成したプロセス付随情報それぞれについて、そのプロセス付随情報と、前記付加表示情報記憶部に記録されている付加表示情報の内の、前記プロセス付随情報に含まれている識別情報と関連付けて記録されている付加表示情報とを含んだ表示用データを生成するプロセス一覧表示部として機能させる。
【発明の効果】
【００１０】
本発明によれば、プロセス一覧を表示する際、オペレーティングシステムに依存した項目だけでなく、プログラム作成者がプログラムに設定した付加表示情報も表示することが可能になるという効果を得ることができる。
【図面の簡単な説明】
【００１１】
【図１】本発明の第１の実施の形態の構成例を示すブロック図である。
【図２】付加表示情報記憶部４の内容例を示す図である。
【図３】第１の実施の形態におけるプロセス生成時の処理例を示すフローチャートである。
【図４】第１の実施の形態におけるプロセス一覧表示時の処理例を示すフローチャートである。
【図５】プロセス一覧の表示例を示す図である。
【図６】本発明の第２の実施の形態の構成例を示すブロック図である。
【図７】第２の実施の形態におけるプロセス消滅時の処理例を示すフローチャートである。
【発明を実施するための形態】
【００１２】
次に、本発明の実施の形態について図面を参照して詳細に説明する。
【００１３】
[本発明の第１の実施の形態]
先ず、本発明の第１の実施の形態について説明する。本実施の形態は、本発明を携帯電話端末装置に実装した場合である。
【００１４】
図１を参照すると、本発明の第１の実施の形態にかかる携帯電話端末装置100は、プログラム１と、プロセス生成部２と、オペレーティングシステム（ＯＳ）３と、付加表示情報記憶部４と、プロセス一覧表示部５とを備えている。また、携帯電話端末装置100には、コマンド入力およびプロセス一覧の表示のために外部ＰＣ（パーソナルコンピュータ）200が接続されている。
【００１５】
プロセス生成部２は、プログラム１から付加表示情報を含んだプロセス生成要求が送られてくると、プログラム１に対応するプロセスを生成すると共に、生成したプロセスのプロセスＩＤと上記付加表示情報とを紐付けて付加表示情報記憶部４に記録する機能を有する。尚、付加表示情報は、予め定められている項目（プロセスＩＤ、状態、メモリ使用量など）に加えてプロセス一覧に表示される情報である。プログラム作成者が、プログラム作成時にプロセス一覧に表示させたい任意の情報（例えば、プロセスの種類を示す情報など）をプログラムに組み込んでおくことにより、プロセス一覧の表示時、予め定められている項目に加えて、付加表示情報も表示させることができる。
【００１６】
このような機能を有するプロセス生成部２は、プロセス生成要求手段２１と、既存のオペレーティングシステム３が備えているプロセス生成手段２２とから構成される。
【００１７】
プロセス生成要求手段２１は、プログラム１から付加表示情報を含んだプロセス生成要求が送られてきたとき、プロセス生成手段２２に対してプログラム１に対応するプロセスの生成を要求する機能や、この要求に応答してプロセス生成手段２２からプロセスＩＤが返却されたとき、このプロセスＩＤと上記付加表示情報とを紐付けて付加表示情報記憶部４に記録する機能を有する。尚、本実施の形態では、付加表示情報は、プロセス生成要求時に、プログラム１からプロセス生成要求手段２１に引き渡す引数としてプログラム１中に設定されている。
【００１８】
プロセス生成手段２２は、プロセス生成要求手段２１からの要求に従ってプログラム１に対応するプロセスを生成すると共に、このプロセスを一意に識別するプロセスＩＤをプロセス生成要求手段２１に返却する機能を有する。
【００１９】
尚、プログラム１は、スレッド（プログラムの最小実行単位）の生成時にも、付加表示情報（例えば、スレッドの種類を示す情報など）を含んだスレッド生成要求をプロセス生成要求手段２１に対して出力する。プロセス生成要求手段２１は、プログラム１からスレッド生成要求が送られてくると、プロセス生成手段２２に対してスレッドの生成を要求し、この要求に応答してプロセス生成手段２２からプロセスＩＤが返却されると、返却されたプロセスＩＤと上記付加表示情報とを紐付けて付加表示情報記憶部４に記録する。また、プロセス生成手段２２は、プロセス生成要求手段２１からスレッドの生成が要求されると、スレッドを生成し、そのスレッドを識別するためのプロセスＩＤをプロセス生成要求手段２１に返却する。
【００２０】
図２は、付加表示情報記憶部４の内容例を示す図である。同図の例では、プロセスＩＤ「９７，９８，９９，…，１１２」に紐付けて付加表示情報「電卓プロセス、メーラースレッド、メーラーコントロールスレッド、…、サーチスレッド」が記録されている。
【００２１】
プロセス一覧表示部５は、外部ＰＣ200からプロセス一覧表示コマンドが入力されたとき、起動中のプロセス（スレッドも含む）毎に、そのプロセスのプロセスＩＤと、そのプロセスに関連する、ＯＳ３に依存した予め定められている項目（状態、ＣＰＵ時間、メモリ使用量など）の内容とを含んだプロセス付随情報を生成する機能や、生成したプロセス付随情報それぞれについて、そのプロセス付随情報と、付加表示情報記憶部４に記録されている付加表示情報の内の、上記プロセス付随情報中のプロセスＩＤと関連付けて記録されている付加表示情報とを含んだ表示用データを生成する機能や、生成した表示用データを外部ＰＣ200へ送信する機能を有する。
【００２２】
このような機能を有するプロセス一覧表示部５は、プロセス一覧表示要求手段５１と、既存のオペレーティングシステム３が備えているプロセス一覧表示手段５２とから構成されている。
【００２３】
プロセス一覧表示要求手段５１は、外部ＰＣ200からプロセス一覧表示コマンドが送られてきたとき、プロセス一覧表示手段５２に対して起動中のプロセスについてのプロセス付随情報を要求する機能や、この要求に応答してプロセス一覧表示手段５２から送られてきたプロセス付随情報それぞれについて、プロセス付随情報と付加表示情報とを含む表示用データを生成する機能や、生成した表示用データを外部ＰＣ200へ送信する機能を有する。
【００２４】
プロセス一覧表示手段５２は、プロセス一覧表示要求手段５１からの要求に応答して、起動中のプロセスについてのプロセス付随情報を生成する機能や、生成したプロセス付随情報をプロセス一覧表示要求手段５１に渡す機能を有する。
【００２５】
尚、プロセス生成要求手段２１、プロセス生成手段２２、プロセス一覧表示要求手段５１、及び、プロセス一覧表示手段５２は、コンピュータにより実現可能であり、コンピュータによって実現する場合は、例えば、次のようにする。コンピュータをプロセス生成要求手段２１、プロセス生成手段２２、プロセス一覧表示要求手段５１、及び、プロセス一覧表示手段５２として機能させるためのプログラムを記録したディスク、半導体メモリなどの記録媒体を用意し、コンピュータに上記プログラムを読み取らせる。コンピュータは、読み取ったプログラムに従って自身の動作を制御することにより、自コンピュータ上に、プロセス生成要求手段２１、プロセス生成手段２２、プロセス一覧表示要求手段５１、及び、プロセス一覧表示手段５２を実現する。また、上述した説明では、プロセス生成要求手段２１およびプロセス一覧表示要求手段５１をオペレーティングシステム外（ミドル層）に実装するようにしたが、オペレーティングシステム３内に組み込んで実装するようにしても良い。しかし、本実施の形態にように、オペレーティングシステム外に実装する方が、既存のオペレーティングシステムを利用することができるので、好ましい。
【００２６】
[第１の実施の形態の動作の説明]
次に、本実施の形態の動作について詳細に説明する。
【００２７】
先ず、プロセス生成時の動作について図３のフローチャートを参照して説明する。プロセス生成時には、通常のプロセス生成処理に加えて、生成したプロセスのプロセスＩＤとプログラム作成者によってプログラム１に設定されている付加表示情報とを紐付けて付加表示情報記憶部４に記録する処理が行われる。
【００２８】
図３のフローチャートを参照すると、プログラム１は、プロセス生成時、プロセス生成要求手段２１を呼び出し、付加表示情報を含んだプロセス表示要求を渡す（ステップＳ３１）。より具体的には、プログラム１は、プログラム作成者によって設定されている引数を付加表示情報として含んだプロセス生成要求をプロセス生成要求手段２１に渡す。
【００２９】
これにより、プロセス生成要求手段２１は、オペレーティングシステム３内のプロセス生成手段２２を呼び出し、プログラム１に対応するプロセスの生成を要求する（ステップＳ３２）。
【００３０】
この要求に応答して、プロセス生成手段２２は、プログラム１に対応するプロセスを生成し、生成したプロセスを一意に識別するためのプロセスＩＤをプロセス生成要求手段２１に返却する（ステップＳ３３）。
【００３１】
プロセス生成要求手段２１は、プロセス生成手段２２から返却されたプロセスＩＤと、ステップＳ３１においてプログラム１から渡された付加表示情報とを紐付けする（ステップＳ３４）。そして、最後に、プロセス生成要求手段２１は、紐付けしたプロセスＩＤと付加表示情報とを関連付けて付加表示情報記憶部４に記録する（ステップＳ３５）。
【００３２】
以上の処理により、プログラム作成者が設定した任意の付加表示情報と、該当するプロセスとが紐付けされた状態となり、付加表示情報記憶部４を参照することにより、該当プロセスに対応する付加表示情報を引き出すことができる。
【００３３】
次に、プロセス一覧表示時の動作について図４のフローチャートを参照して説明する。プロセス一覧表示時には、プロセス一覧表示手段５２が生成したプロセス付随情報に加えて、プログラム作成者が設定した付加表示情報も表示される。
【００３４】
図４のフローチャートを参照すると、外部ＰＣ200は、ユーザの指示に従ってプロセス一覧表示コマンドをプロセス一覧表示要求手段５１に対して出力する（ステップＳ４１）。
【００３５】
これにより、プロセス一覧表示要求手段５１は、オペレーティングシステム３内のプロセス一覧表示手段５２に対してプロセス付随情報を要求する（ステップＳ４２）。
【００３６】
この要求に応答して、プロセス一覧表示手段５２は、起動中のプロセス（スレッドを含む）それぞれについて、プロセス付随情報を作成し、作成したプロセス付随情報をプロセス一覧表示要求手段５１に渡す。プロセス付随情報には、前述したように、プロセスを識別するためのプロセスＩＤの他に、プロセスの状態、メモリ使用量などの予め定められた項目が含まれている。
【００３７】
プロセス一覧表示要求手段５１は、プロセス一覧表示手段５２から渡されたプロセス付随情報の内の１つに着目する（ステップＳ４３）。次いで、プロセス一覧表示要求手段５１は、注目しているプロセス付随情報中のプロセスＩＤと紐付けされている付加表示情報を付加表示情報記憶部４から検索する（ステップＳ４５）。その後、プロセス一覧表示要求手段５１は、注目しているプロセス付随情報に、ステップＳ４５で検索した付加表示情報を付加することにより、表示用データを作成し、外部ＰＣ200へ送信する（ステップＳ４６）。
【００３８】
その後、プロセス一覧表示要求手段５１は、ステップＳ４３に処理に戻り、未注目のプロセス付随情報がなくなるまで（ステップＳ４４がＹＥＳ）となるまで、上述した処理を繰り返し行う。
【００３９】
外部ＰＣ200は、プロセス一覧表示要求手段５１から送られてきた表示用データに従った表示を行うことにより、ＬＣＤなどの表示部（図示せず）に、プロセス一覧を表示する。
【００４０】
今、例えば、付加表示情報記憶部４の内容が図２に示すものであり、プロセスＩＤ「９７，９８，９９，…，１１２」のプロセス（スレッドも含む）が起動中であるとすると、上記した処理を行うことにより、外部ＰＣの表示部には、図５に示すようなプロセス一覧が表示される。同図に示すように、本実施の形態のプロセス一覧には、プロセス付随情報だけでなく、プログラム作成者が設定した付加表示情報（プロセスの種類を示す情報）も表示されるので、プロセス付随情報だけが表示される場合に比較して、目的とするプロセスを容易に探し出すことが可能になる。尚、上述した説明では、付加表示情報をプロセスの種類を示すものとしたが、これに限られるものではない。
【００４１】
[第１の実施の形態の効果]
本実施の形態によれば、プロセス一覧を表示する際、オペレーティングシステムに依存した項目だけでなく、プログラム作成者がプログラムに設定した付加表示情報も表示することが可能になるという効果を得ることができる。その理由は、プログラム作成者によって付加表示情報が設定されたプログラム１からの上記付加表示情報を含んだプロセス生成要求に応答して、上記プログラム１に対応するプロセスを生成すると共に、上記プロセスの識別情報（プロセスＩＤ）と上記付加表示情報とを関連付けて付加表示情報記憶部４に記録し、プロセス一覧表示要求（プロセス一覧表示コマンド）に応答して、起動中のプロセス毎に、そのプロセスの識別情報と、そのプロセスに関連する、オペレーティングシステム３によって予め定められている項目の内容とを含んだプロセス付随情報を生成し、生成したプロセス付随情報それぞれについて、そのプロセス付随情報と、付加表示情報記憶部４に記録されている付加表示情報の内の、上記プロセス付随情報に含まれている識別情報と関連付けて記録されている付加表示情報とを含んだ表示用データを生成するようにしているからである。
【００４２】
[本発明の第２の実施の形態]
次に、本発明の第２の実施の形態について説明する。本実施の形態は、プロセスの消滅時に、付加表示情報記憶部４から消滅したプロセスに関する情報を削除するようにしたことを特徴とする。
【００４３】
図６を参照すると、本実施の形態の携帯電話端末装置100aは、プロセス消滅要求手段６１及びプロセス消滅手段６２を備えている点で、図１に示した携帯電話端末装置100と相違している。
【００４４】
プロセス消滅要求手段６１は、プログラム１からのプロセス消滅要求に応答して、オペレーティングシステム３内のプロセス消滅手段６２に対してプログラム１に対応するプロセスの消滅を要求する機能や、この要求に応答してプロセス消滅手段６２から返却されたプロセスＩＤに基づいて、消滅したプロセスに関する情報（プロセスＩＤと付加表示情報との対）を付加表示情報記憶部４から削除する機能を有する。
【００４５】
プロセス消滅手段６２は、プロセス消滅要求手段６１からの要求に従ってプロセスを消滅させると共に、消滅したプロセスのプロセスＩＤをプロセス消滅要求手段６１に返却する機能を有する。
【００４６】
尚、本実施の形態においても、前述した第１の実施の形態と同様にして、プロセス生成要求手段２１、プロセス生成手段２２、プロセス一覧表示要求手段５１、プロセス一覧表示手段５２、プロセス消滅要求手段６１、および、プロセス消滅手段６２をコンピュータによって実現することができる。
【００４７】
[第２の実施の形態の動作]
次に、本実施の形態の動作について図７のフローチャートを参照して説明する。尚、プロセス消滅時以外の動作は、第１の実施の形態と同様であるので、ここでは、プロセス消滅時の動作についてのみ説明する。
【００４８】
図７のフローチャートを参照すると、プログラム１は、終了時に、プロセス消滅要求手段６１に対して、自プログラム１に対応するプロセスの消滅を要求する（ステップＳ７１）。
【００４９】
これにより、プロセス消滅要求手段６１は、プロセス消滅手段６２に対してプログラム１に対応するプロセスの消滅を要求する（ステップＳ７２）。
【００５０】
この要求に応答して、プロセス消滅手段６２は、プログラム１に対応するプロセスを消滅し、そのプロセスＩＤをプロセス消滅要求手段６１に返す（ステップＳ７３）。
【００５１】
これにより、プロセス消滅要求手段６１は、付加表示情報記憶部４を検索し、返却されたプロセスＩＤと、それに紐付けられている付加表示情報とを付加表示情報記憶部４から削除する（ステップＳ７４）。
【００５２】
[第２の実施の形態の効果]
本実施の形態によれば、付加表示情報記憶部４を実現するために必要になる記憶容量を少なくすることができる。その理由は、消滅したプロセスに関する情報を付加表示情報記憶部４から削除する削除部（プロセス消滅要求手段６１及びプロセス消滅手段６２から構成される）を備えているからである。
【００５３】
[本発明のその他の実施の形態]
尚、前述した第１及び第２の実施の形態では、本発明にかかるプロセス一覧表示装置を携帯電話端末装置に実装する場合を例に挙げて説明したが、これに限られるものではなく、パーソナルコンピュータ等に実装することもできる。
【産業上の利用可能性】
【００５４】
本発明は、マルチタスクＯＳをプラットフォームとした場合のソフトウェア開発に利用すると、好適である。
【符号の説明】
【００５５】
１      プログラム
100,100a  携帯電話端末装置
２      プロセス生成部
200    外部ＰＣ
３      オペレーティングシステム
４      付加表示情報記憶部
５      プロセス一覧表示部
２１    プロセス生成要求手段
２２    プロセス生成手段
５１    プロセス一覧表示要求手段
５２    プロセス一覧表示手段
６１    プロセス消滅要求手段
６２    プロセス消滅手段
【図１】
2012089041.tif 000003
【図２】
2012089041.tif 000004
【図３】
2012089041.tif 000005
【図４】
2012089041.tif 000006
【図５】
2012089041.tif 000007
【図６】
2012089041.tif 000008
【図７】
2012089041.tif 000009